【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
プラズマを生成するプラズマ生成部と、
前記プラズマ生成部を制御する制御部と、
前記プラズマを照射対象物に照射している間に前記照射対象物を介して流れる電流値を測定する測定部と、
前記電流値の変動を特定する評価部と
を備えるプラズマ照射処理装置。
【請求項２】
請求項１に記載のプラズマ照射処理装置において、
前記制御部は、前記電流値の前記変動をトリガーにして前記プラズマ生成部に印加する電圧を制御する、プラズマ照射処理装置。
【請求項３】
請求項１又は２に記載のプラズマ照射処理装置において、
前記電流値の前記変動は、前記電流値の下降を含む、プラズマ照射処理装置。
【請求項４】
請求項３に記載のプラズマ照射処理装置において、
前記評価部が前記電流値の前記下降を検出した場合、前記制御部は前記プラズマ生成部への電圧の印加を停止する、プラズマ照射処理装置。
【請求項５】
請求項１から４のいずれか一項に記載のプラズマ照射処理装置において、
前記制御部は、前記プラズマ生成部に印加する電圧を変動させる第１モードと、前記プラズマ生成部へ一定の電圧を印加する第２モードとを備える、プラズマ照射処理装置。
【請求項６】
請求項５に記載のプラズマ照射処理装置において、
前記制御部は、凝固物の大きさ又は時間情報に基づいて前記第１モードと前記第２モードとの間の切り換えを行う、プラズマ照射処理装置。
【請求項７】
請求項５又は６に記載のプラズマ照射処理装置において、
前記第１モードにおいて、前記評価部が前記電流値の下降を検出した場合、前記制御部は、前記電流値が所定の範囲内で維持されるように前記電圧を制御し、
前記第２モードにおいて、前記評価部が前記電流値の下降を検出した場合、前記制御部は、前記電圧の印加を停止する、プラズマ照射処理装置。
【請求項８】
請求項１から７のいずれか一項に記載のプラズマ照射処理装置において、
前記評価部は、現在の前記電流値と、時間的に前の前記電流値又は予め決められた基準値とを比較して、前記電流値の減少を検出する、プラズマ照射処理装置。
【請求項９】
請求項１から８のいずれか一項に記載のプラズマ照射処理装置において、
前記照射対象物からの光を検出する光検出部を備える、プラズマ照射処理装置。
【請求項１０】
請求項１から９のいずれか一項に記載のプラズマ照射処理装置において、
前記照射対象物は、タンパク質、又はタンパク質を含む溶液を含む、プラズマ照射処理装置。
【請求項１１】
請求項１から１０のいずれか一項に記載のプラズマ照射処理装置において、
前記照射対象物は、血液を含む、プラズマ照射処理装置。
【請求項１２】
請求項１から１１のいずれか一項に記載のプラズマ照射処理装置において、
前記照射対象物は、生物学的製剤を含む溶液を含む、プラズマ照射処理装置。
【請求項１３】
請求項１から１２のいずれか一項に記載のプラズマ照射処理装置において、
前記評価部は、前記電流値の前記変動に基づき前記照射対象物の凝固を評価する、プラズマ照射処理装置。
【請求項１４】
プラズマを照射対象物に照射している間に前記照射対象物を介して流れる電流値を測定する測定部と、
供給される電圧と前記電流値と前記照射対象物の凝固結果との関係を示す評価情報を作成する評価部と
を備える凝固物の評価装置。
【請求項１５】
請求項１４に記載の凝固物の評価装置において、
前記評価部は、前記電流値の変動を特定する、凝固物の評価装置。
【請求項１６】
請求項１５に記載の凝固物の評価装置において、
前記評価部は、前記電流値の変動を検出したときに前記評価情報を作成する、凝固物の評価装置。
【請求項１７】
請求項１５又は１６に記載の凝固物の評価装置において、
前記電流値の前記変動は、前記電流値の下降を含む、凝固物の評価装置。
【請求項１８】
請求項１４から１７のいずれか一項に記載の凝固物の評価装置において、
前記凝固結果は、凝固物の安定性の情報、及び、凝固物の大きさの情報の少なくとも１つを含む、凝固物の評価装置。
【請求項１９】
請求項１４から１８のいずれか一項に記載の凝固物の評価装置において、
前記凝固結果は、血液の溶血量に関する情報、血液内の凝固物の質量に関する情報、及び、血液内の赤血球の数に関する情報の少なくとも１つを含む、凝固物の評価装置。
【請求項２０】
請求項１４から１９のいずれか一項に記載の凝固物の評価装置において、
前記評価情報を記憶する記憶部を備える凝固物の評価装置。
【請求項２１】
プラズマを生成するプラズマ生成部と、
前記プラズマを照射対象物に照射している間に前記照射対象物を介して検出される電気的パラメータを測定する測定部と、
前記電気的パラメータの変動をもとに求められた電圧値を含む制御情報を用いて、前記プラズマ生成部に供給される電圧を制御する制御部と、
を備えるプラズマ照射処理装置。
【請求項２２】
請求項２１に記載のプラズマ照射処理装置において、
前記電気的パラメータは、前記照射対象物を介して流れる電流値を含むプラズマ照射処理装置。
【請求項２３】
請求項２１又は２２に記載のプラズマ照射処理装置において、
前記電気的パラメータの変動を特定する評価部を備えるプラズマ照射処理装置。
【請求項２４】
請求項２３に記載のプラズマ照射処理装置において、
前記評価部が前記電気的パラメータの下降を検出した場合、前記制御部は前記プラズマ生成部への電圧の印加を停止する、プラズマ照射処理装置。
【請求項２５】
請求項２１から２４のいずれか一項に記載のプラズマ照射処理装置において、
前記制御情報は、前記電圧値を設定したときの前記電気的パラメータと、前記電圧値を設定したときの照射時間と、前記電圧値を設定したときの凝固結果の少なくとも１つをさらに含む、プラズマ照射処理装置。
【請求項２６】
請求項２１から２５のいずれか一項に記載のプラズマ照射処理装置において、
前記制御情報を記憶する記憶部を備えるプラズマ照射処理装置。
【請求項２７】
プラズマを照射対象物に照射している間に、測定部によって、前記照射対象物を介して流れる電流の電流値を測定することと、
評価部によって、前記電流値の変動を特定することと
を含むプラズマ照射処理装置の制御方法。
【請求項２８】
請求項２７に記載の制御方法において、
前記電流値の前記変動は、前記電流値の下降を含む、制御方法。
【請求項２９】
請求項２８に記載の制御方法において、
前記電流値の前記下降を検出した場合、制御部によって、電圧の印加を停止することを含む、制御方法。
【請求項３０】
請求項２７に記載の制御方法において、
制御部によって、供給される電圧を変動させる第１モードに設定することと、
前記第１モードにおいて、前記評価部が前記電流値の下降を検出した場合、前記制御部によって、前記電流値が所定の範囲内で維持されるように前記電圧を制御することと、
前記制御部によって、前記第１モードから、前記電圧を一定にする第２モードに切り替えることと、
前記第２モードにおいて、前記評価部が前記電流値の下降を検出した場合、前記制御部によって、前記電圧の印加を停止することと
を含む制御方法。
【請求項３１】
プラズマを照射対象物に照射している間に、測定部によって、前記照射対象物を介して検出される電気的パラメータを測定することと、
前記電気的パラメータの変動をもとに求められた電圧値を含む制御情報を用いて、制御部によって、プラズマ生成部に供給される電圧を制御することと
を含むプラズマ照射処理装置の制御方法。
【請求項３２】
プラズマ生成部によってプラズマを生成することと、
測定部によって、プラズマを照射対象物に照射している間に前記照射対象物を介して検出される電気的パラメータを測定することと、
制御部によって、供給される電圧と前記電気的パラメータと前記照射対象物の凝固結果との関係を示す評価情報によって特定された電圧値を含む制御情報を用いて、前記プラズマ生成部に供給される電圧を制御することと
を含む膜の製造方法。
【請求項３３】
請求項３２に記載の膜の製造方法において、
測定された前記電気的パラメータが安定した状態から減少したことを検出した場合に、前記照射対象物に対する前記プラズマの照射を停止する、膜の製造方法。
【請求項３４】
請求項３２又は３３に記載の膜の製造方法において、
前記照射対象物は血液であり、前記凝固結果は前記血液の溶血量に関する情報を含み、
前記制御部によって、所望の前記溶血量となる前記電圧値を含む前記制御情報を用いて前記電圧を制御すること
を含む膜の製造方法。